(57)【要約】  本発明は、ユーザが健康および幸福感を高めるような仕方で高さ調節可能なテーブルを使用するのを助けかつ動機付けることのできる高さ調節可能なテーブル（１）に関する。【選択図】  図１
2020522290.tif 000002
【特許請求の範囲】
【請求項１】
‐少なくとも一つの電動リニアアクチュエータ（３）と、
‐前記少なくとも一つのリニア電動アクチュエータ（３）を制御するためのコントローラ（９）と、
‐前記コントローラ（９）に関係付けられた調節可能なテーブルの実際の高さ調節レベルを決定し、かつ前記調節可能なテーブルの実際の高さ調節レベルに関する入力情報を前記コントローラ（９）に提供するためのシステムと、
‐適切な電気エネルギ源から前記少なくとも一つのリニアアクチュエータ（３）に電力を供給することによって、前記テーブルの高さレベルの調節を要求するユーザによる作動のために前記コントローラ（９）に接続された操作ユニット（６）と、
を備えた高さ調節可能なテーブル（１）であって、
‐前記コントローラ（９）が、
‐座位位置または立位位置に対する少なくとも一つの高さ調節設定値（７、８）を保存するためのメモリ（１２）を含み、
‐前記コントローラ（９）が、前記高さ調節設定値（７、８）がその現在の状態を続けている時間を監視するように適応されたタイマ装置（１３）を含み、前記状態とは座位位置または立位位置にある状態を指し、
‐前記コントローラ（９）が、前記高さ調節可能なテーブルの高さを座位位置に対する前記高さ調節設定値（７、８）から立位位置に、またはその逆に調整することをユーザに思い出させるために、予め定められたプログラム可能なタイマ値を保存するためのメモリ（１４）を含み、
‐前記コントローラ（９）が、前記タイマ装置（１３）によって得たタイマ値を前記予め定められたプログラム可能なタイマ値と絶えず比較し、かつさらに前記予め定められたプログラム可能なタイマ値のタイムアウトに向かう経過を表す値を算出し、
‐前記高さ調節可能なテーブル（１）がさらに発光装置（１１）を備え、
‐前記発光装置（１１）が、第一波長（ａ）で始まりかつ第二波長（ｂ）で終わる波長範囲内の光を放射するように適応され、
‐前記発光装置（１１）が、前記タイマ値のタイムアウトに向かう経過を表す値に対応する、前記波長範囲内の波長の光を放射するように適応された、
高さ調節可能なテーブル（１）。
【請求項２】
時間間隔（ｑ）は前記タイマ値（ｘ）から前記タイマ値（ｘ）のタイムアウトまでの範囲として定義され、前記時間間隔（ｑ）は、前記タイマ値（ｘ）が前記波長範囲の第一波長（ａ）に対応し、かつ前記タイマ値のタイムアウトが前記波長範囲の第二波長（ｂ）に対応するように、前記発光装置の前記波長範囲内にマッピングされることを特徴とする、請求項１に記載の高さ調節可能なテーブル（１）。
【請求項３】
時間間隔（ｑ）は前記タイマ値（ｘ）から前記タイマ値（ｘ）のタイムアウトまでの範囲として定義され、前記時間間隔（ｑ）は少なくとも二つのサブ時間間隔（ｈ、ｉ、ｊ）に分割され、かつ各サブ時間間隔（ｈ、ｉ、ｊ）は前記波長範囲上の特定の波長に対応することを特徴とする、請求項１に記載の高さ調節可能なテーブル（１）。
【請求項４】
前記発光装置（１１）は、前記波長範囲内の波長の光を断続的に放射することを特徴とする、請求項３に記載の高さ調節可能なテーブル（１）。
【請求項５】
前記コントローラ（９）は三つのサブ時間間隔（ｈ、ｉ、ｊ）を含み、各サブ時間間隔（ｈ、ｉ、ｊ）はそれぞれ緑色、オレンジ色、および赤色を放射する波長に対応することを特徴とする、請求項３に記載の高さ調節可能なテーブル（１）。
【請求項６】
前記発光装置（１１）によって放射される波長は、緑色からオレンジ色を経て赤色まで流れるように推移しながら色を変化させることを特徴とする、請求項１に記載の高さ調節可能なテーブル（１）。
【請求項７】
前記発光装置（１１）は、前記コントローラ（９）の特殊な状態を示すために前記波長範囲外の波長を放射することを特徴とする、請求項１に記載の高さ調節可能なテーブル（１）。
【請求項８】
前記第一波長（ａ）は約５００ナノメートルの波長に対応し、かつ前記第二波長（ｂ）は約７００ナノメートルの波長に対応することを特徴とする、請求項１に記載の高さ調節可能なテーブル（１）。
【請求項９】
前記発光装置は前記操作ユニット（６）に配設されることを特徴とする、請求項１に記載の高さ調節可能なテーブル（１）。
【請求項１０】
前記高さ調節可能なテーブルは、前記発光装置が配設された天板（２）を備えることを特徴とする、請求項１に記載の高さ調節可能なテーブル（１）。
【発明の詳細な説明】
【技術分野】
【０００１】
本発明は、高さ調節可能なテーブルおよびそのようなテーブルを操作する方法に関する。高さ調節可能なテーブルは座位／立位デスクとしても知られる。
【背景技術】
【０００２】
一般的な高さ調節可能なテーブルは、天板が装着されるフレームを備える。フレームは、昇降柱の形の少なくとも一つのリニアアクチュエータの一端に取り付けられる。昇降柱の他端には足が装着される。これらの種類の昇降柱の例として、どちらもＬＩＮＡＫ  Ａ／ＳのＷＯ２００４／０４０１６９Ａ１およびＷＯ２００９／０３３４８６Ａ１が参照される。
【０００３】
リニアアクチュエータシステムを備えた高さ調節可能なテーブルは広く普及するようになってきているが、多くのユーザがその最も明白な機能性、すなわち高さ調節を利用していないことは事実である。これは、日中の運動が健康に対して、特に我々の代謝に対して有する既知の利点とは対照的である。立位および移動は座位より多くのカロリーを燃焼し、ユーザの脚の筋肉を働かす。立位時により高いカロリーが燃焼すること以外に、日中の立位および移動は、ユーザの循環、エネルギ、ストレス、および全体的幸福感を改善することも立証されている。着座位置から立位位置に移行する行為だけでも、身体を重力に抗して働かせることになり、我々の安定筋を強化するのに役立つ。一般的に、デスクワーク労働者は平均就業時間中に座位および立位を混合すること、つまり１時間以内の座位または立位の後、位置を交代することが推薦される。推薦される目標は、就業時間中に１２０分余分な立位を取るように努力し、少なくとも８〜１６回姿勢を切り替えることである。
【先行技術文献】
【特許文献】
【０００４】
【特許文献１】国際公開第ＷＯ２００４／０４０１６９Ａ１号
【特許文献１】国際公開第ＷＯ２００９／０３３４８６Ａ１号
【発明の概要】
【０００５】
本発明の目的は、健康、カロリー燃焼、および幸福感を高めるやり方で、ユーザが高さ調節可能なテーブルを使用するのを助けかつ動機付けることのできる、改善された高さ調節可能なテーブルを提供することである。
【０００６】
本発明によれば、これは、少なくとも一つの電動リニアアクチュエータと、少なくとも一つのリニア電動アクチュエータを制御するためのコントローラと、コントローラに関係付けられた調節可能なテーブルの実際の高さ調節レベルを決定し、かつ調節可能なテーブルの実際の高さ調節レベルに関する入力情報をコントローラに提供するためのシステムと、適切な電気エネルギ源から少なくとも一つのリニアアクチュエータに電力を供給することによって、テーブルの高さレベルの調節を要求するユーザによる作動のためにコントローラに接続された操作ユニットと、を備えた、高さ調節可能なテーブルを提供することによって解決される。コントローラは、座位位置または立位位置に対する少なくとも一つの高さ調節設定値を保存するためのメモリを備える。コントローラは、高さ調節設定値がその現在の状態を続けている時間を監視するように適応されたタイマ装置を備え、状態とは座位位置または立位位置にある状態を指す。コントローラは、座位位置を指す高さ調節設定値から立位位置に、またはその逆に、高さ調節可能なテーブルの高さを調節することをユーザに思い出させるために、予め定められたプログラム可能なタイマ値を保存するためのメモリを備える。コントローラはタイマ装置によって得られたタイマ値を予め定められたプログラム可能なタイマ値と絶えず比較し、さらに、予め定められたプログラム可能なタイマ値のタイムアウトに向かう経過を表す値を算出する。高さ調節可能なテーブルはさらに発光装置を備え、発光装置は、第一波長で始まりかつ第二波長で終わる波長範囲内の光を放射するように適応される。発光装置は、タイマ値のタイムアウトに向かう経過を表す値に対応する波長範囲内の波長の光を放射するように適応される。
【０００７】
高さ調節可能なテーブルの一実施形態では、時間間隔はタイマ値からタイマ値のタイムアウトまでの範囲と定義され、時間間隔は、タイマ値が波長範囲の第一波長に対応し、かつタイマ値のタイムアウトが波長範囲の第二波長に対応するように、発光装置の波長範囲内にマッピングされる。
【０００８】
高さ調節可能なテーブルの一実施形態では、時間間隔はタイマ値からタイマ値のタイムアウトまでの範囲と定義され、時間間隔は少なくとも二つのサブ時間間隔に分割され、各サブ時間間隔は波長範囲の特定の波長に対応する。
【０００９】
高さ調節可能なテーブルの一実施形態では、発光装置は波長範囲内の波長の光を断続的に放射する。
【００１０】
高さ調節可能なテーブルの一実施形態では、コントローラは三つのサブ時間間隔を含み、各サブ時間間隔はそれぞれ緑色、オレンジ色、および赤色を放射する波長に対応する。
【００１１】
高さ調節可能なテーブルの一実施形態では、発光装置によって放射される波長は、緑色からオレンジ色を経て赤色まで流れるように推移しながら色を変化させる。
【００１２】
高さ調節可能なテーブルの一実施形態では、発光装置は、コントローラの特殊な状態を示すために、波長範囲外の波長を放射する。
【００１３】
高さ調節可能なテーブルの一実施形態では、第一波長は約５００ナノメートルの波長に対応し、第二波長は約７００ナノメートルの波長に対応する。
【００１４】
高さ調節可能なテーブルの一実施形態では、発光装置は操作ユニットに配設される。
【００１５】
高さ調節可能なテーブルの一実施形態では、高さ調節可能なテーブルは、発光装置が配設される天板を備える。
【００１６】
本発明の一実施形態について、添付の図面を参照しながらさらに詳しく説明する。
【図面の簡単な説明】
【００１７】
【図１】高さ調節可能なテーブルの斜視図を示す。
【図２】座位位置にある高さ調節可能なテーブルを示す。
【図３】立位位置にある高さ調節可能なテーブルを示す。
【図４】高さ調節可能なテーブルの略図である。
【図５】光導波路を備えた操作ユニットの斜視図である。
【図６】発光ダイオードを備えた操作ユニットの斜視図である。
【図７】時間間隔ｑの波長範囲内へのマッピングを概略的に示す。
【図８】サブ時間間隔に分割された時間間隔の波長範囲内へのマッピングを概略的に示す。
【発明を実施するための形態】
【００１８】
図１は、天板２を備えた高さ調節可能なテーブル１の斜視図を示す。高さ調節可能なテーブル１の両側で、昇降柱３の形のリニアアクチュエータは、天板２が装着される担持フレーム（図示せず）内に装着される。各昇降柱３の他端は足４を備え、その上に高さ調節可能なテーブル１が立設される。昇降柱３は、駆動ユニット（図示せず）と、二つまたは三つの相互に入れ子式に配設されたプロファイルとを備える。一つのプロファイル５は足４に定置固定され、一つのプロファイル（参照せず）はモータ筐体に定置固定される。各昇降柱３は電気モータによって駆動され、それはギヤを介してスピンドルを駆動する。スピンドルには、入れ子式に移動可能なプロファイルに固定されたスピンドルナットが設けられる。天板２の高さ調節はこうして、昇降柱３によって実行される。調節は操作ユニット６を作動させることによって達成される。
【００１９】
図２および図３は、それぞれ座位位置７および立位位置８にある、高さ調節可能なテーブル１の側面図を示す。昇降柱３の長さは調節することができるので、座位位置７および立位位置８は、高さ調節可能なテーブル１の各ユーザ個人の身体的特徴および個人的好みに合わせて設定することができる。
【００２０】
図４は、リニアアクチュエータ３と、コントローラ９と、高さ調節可能なテーブル１の実際の高さ調節レベルを決定するためのシステム１０と、操作ユニット６と、発光装置１１とを備えた高さ調節可能なテーブル１の略図を示す。
【００２１】
実際の高さ調節レベルを決定するためのシステム１０は、リニアアクチュエータ３に組み込まれた電位差計またはホールセンサによって、あるいは光センサなど他の検出手段によって決定することができる。実際の高さ調節レベルを決定するためのシステム１０は、実際の高さ調節レベルに関する入力情報をコントローラ９に提供する。
【００２２】
操作ユニット６は、適切な電気エネルギ源（図示せず）から少なくとも一つのリニアアクチュエータ３に電力を供給することによって、高さ調節可能なテーブル１の高さレベルの調節を要求するユーザによる作動のために、コントローラ９に接続される。
【００２３】
コントローラ９は、座位位置７または立位位置８に対する少なくとも一つの高さ調節設定値７、８を保存するためのメモリ１２を備える。コントローラ９はさらに、高さ調節設定値７、８がその現在の状態を続けている時間を監視するように適応されたタイマ装置１３を備え、状態とは座位位置７または立位位置８にある状態を指す。タイマ装置１３は、換言すると、高さ調節可能なテーブル１が座位位置７または立位位置８を取り続けてきた経過時間を決定する。
【００２４】
コントローラ９はさらに、座位位置７を指す高さ調節設定値７から立位位置８を指す高さ調節設定値８に、またはその逆に、高さ調節可能なテーブルの高さを調節することをユーザに思い出させるために、予め定められたプログラム可能なタイマ値を保存するためのメモリ１４を備える。コントローラ９は、タイマ装置１３によって得られたタイマ値を絶えず、メモリ１４の予め定められたプログラム可能なタイマ値と比較する。
【００２５】
コントローラ９は、メモリ１４の予め定められたプログラム可能なタイマ値のタイムアウトに向かう経過を表す値を算出するように適応される。
【００２６】
発光装置１１は、第一波長ｚから始まり第二波長ｙで終わる波長範囲ｒ内で光を放射するように適応される。発光装置１１は、タイマ値のタイムアウトに向かう経過を表す値に対応する波長範囲内の波長の光を放射するように適応される。
【００２７】
図７に概略的に示すように、コントローラ９は、時間間隔ｑをタイマ値ｘからタイマ値ｘのタイムアウトまでの範囲として定義する。時間間隔ｑは、タイマ値ｘが波長範囲ｒの第一波長ｚに対応し、かつタイマ値のタイムアウトが波長範囲ｒの第二波長ｙに対応するように、発光装置１１の波長範囲ｒ内にマッピングされる。このようにして、時間間隔ｑの各値は波長範囲ｒ上の波長に変換される。発光装置１１によって放射される波長は、緑色からオレンジ色を経て赤色まで流れるように推移しながら色を変化させることができる。第一波長（ａ）は約５００ナノメートルの波長に対応することができ、第二波長（ｂ）は約７００ナノメートルの波長に対応することができる。
【００２８】
コントローラの時間間隔ｑは、各サブ時間間隔ｈ、ｉ、ｊが波長範囲ｒ上の特定の波長に対応するように、少なくとも二つのサブ時間間隔ｈ、ｉ、ｊに分割することもできる。図８に概略的に示すように、コントローラ９の時間間隔ｑは、各サブ時間間隔ｈ、ｉ、ｊがそれぞれ緑色、オレンジ色、および赤色を放射する波長に対応するように、三つのサブ時間間隔ｈ、ｉ、ｊに分割される。これは、高さ調節可能なテーブルのユーザが関連付ける必要のある状態の数を簡単にする。
【００２９】
高さ調節可能なテーブル１の高さを調節することをユーザに思い出させるために、発光装置１１は、波長範囲ｒ内の波長の光を断続的に放射することができる。これは、ユーザの注意を引き、ユーザが高さ調節可能なテーブル１を調節するように促すことを意図するものである。
【００３０】
コントローラ９が特殊な状態にあることをユーザに示すために、発光装置１１は波長範囲ｒ外の波長を放射することができる。特殊な状態とは、例えばブルートゥースのペアリングの成功、高さ調節設定値（立位位置および／または座位位置）の保存の成功の指示とすることができる。
【００３１】
図５に示すように、発光装置１１は操作ユニット６に配設された光導波路とすることができる。発光装置１１はまた、図６に示すように、操作ユニット６に小型ダイオードとして配設することもできる。代替的に、発光装置１１は高さ調節可能なテーブル１の天板２に配設することができる。
【図１】
2020522290.tif 000003
【図２】
2020522290.tif 000004
【図３】
2020522290.tif 000005
【図４】
2020522290.tif 000006
【図５】
2020522290.tif 000007
【図６】
2020522290.tif 000008
【図７】
2020522290.tif 000009
【図８】
2020522290.tif 000010
【国際調査報告】
2020522290.tif 000011
2020522290.tif 000012